(57)【特許請求の範囲】
【請求項１】
ガイドレール（１）で案内される走行部（９）と、戸パネル（３）に装着される取付部（１０）と、走行部（９）と取付部（１０）とを連結する旋回軸（１１）とを備えている折り戸用ランナーであって、
旋回軸（１１）は、走行部（９）のボディ（１２）に設けた溝（１４）でガイドレール（１）の長手方向に沿ってスライド自在に案内支持されており、
旋回軸（１１）とボディ（１２）との間に、戸パネル（３）を旋回軸（１１）を介して開口面の中央側へ向かって移動付勢するばね（２２）が設けてある折り戸用ランナー。
【請求項２】
ボディ（１２）に設けた溝（１４）内に、溝（１４）に沿って往復スライドするブロック（１５）が設けられており、
旋回軸（１１）の上部がブロック（１５）に相対回転自在に連結されており、
ブロック（１５）とボディ（１２）との間に、ばね（２２）が配置してある請求項１記載の折り戸用ランナー。
【請求項３】
溝（１４）が、ボディ（１２）を上下に貫通する縦溝（１４ａ）と、縦溝（１４ａ）と交差してボディ（１２）を前後方向に貫通する横溝（１４ｂ）とで構成されており、
ブロック（１５）が横溝（１４ｂ）で左右スライド自在に案内支持されており、
ブロック（１５）の前後面に突設したローラ軸（２０）に、２個のローラ（１３）が遊転自在に軸支されている請求項２記載の折り戸用ランナー。
【請求項４】
ボディ（１２）の一側端に牽制板（１６）が突設されており、
２個の戸パネル（３）・（３）からなるパネル対をＶ字状に屈折した状態において、各戸パネル（３）・（３）を支持する一対の走行部（９）・（９）の牽制板（１６）・（１６）どうしが接当して、戸パネル（３）・（３）の近接間隔を規制できるようになっており、
両牽制板（１６）・（１６）の接当面間に、互いに凹凸係合する係合歯（１７）が設けられている請求項２又は３記載の折り戸用ランナー。  
【発明の詳細な説明】
【０００１】
【発明の属する技術分野】
本発明は、吊り車型の折り戸用のランナーに関する。とくに、そのランナーは、全閉時の戸パネルを開口面の中央側へ押し戻して、左右に隣接するパネル側端どうしを密着させる隙間除去機能を備えたものである。
【０００２】
【従来の技術】
Ｖ字状に屈折できるパネル対を一単位にして、複数のパネル対を個別に屈折開放し、あるいは任意のパネル対を屈折した状態のままでレールに沿って左右移動できるフリー折り戸がある。この種の折り戸では、個々の戸パネルをランナーに吊持されたランナー軸を中心にして旋回揺動させる必要上、開口部の左右幅が全てのパネル対の合計幅より大きく設定されている。そのため、全てのパネル対を展開した閉じ状態において、開口中央で隣接するパネル対の側端間に隙間を生じることがある。従来は、この隙間除去のための隙間除去具を、開口部の縦枠やガイドレールの側端部に設けていた。特願平８−２８６５９号にこの種の隙間除去具の一例をみることができる。
【０００３】
【発明が解決しようとする課題】
上記のように専用部品化された隙間除去具は、比較的安価であるが、その分だけ余分なコストが掛かり、組み付け手間も必要になる。
【０００４】
先に述べた通り、フリー折り戸は複数のパネル対を個別に屈折開放でき、開放位置を自由に選択できる。しかし多くの場合には、開閉の手間を軽減するために、開口側端に位置する戸パネルをランナーストッパーで仮り固定して、開口中央側に位置する戸パネルを屈折開放できるようにしている。この種のランナーストッパーに、例えば実公平８−７００８号公報がある。もちろん、必要時には開口側端の戸パネルをランナーストッパーから分離して屈折開放できる。このように、開口側端の戸パネルをランナーストッパーで仮り固定するフリー折り戸では、側端の戸パネルがランナーストッパーで移動不能に仮り固定されるため、先のように開口部の縦枠やガイドレールの側端部に隙間除去具を設けたとしても、隙間除去作用は発揮されず、開口中央において隣接する戸パネルの間に隙間が生じる。
【０００５】
折り戸用ランナーの多くは、四輪型として構成するが、ランナー構造を簡素化するために二輪型としたランナーもある（実公平７−４３０８号公報）。この種のランナーは、コストは少なくて済むが、戸パネル開閉時に蛇行しやすい。とくにパネル対をＶ字状に屈折した状態のままで左右移動するときは、ランナーに片寄ったモーメントが作用するため、戸パネルがガタ付きやすく、ランナーがガイドレールに引っ掛かることもある。
【０００６】
本発明の目的は、ランナー自体に隙間除去機能を付加し、専用の隙間除去具を用いずとも全閉時のパネル対どうしを密着接合でき、隙間除去具を省略できる分だけコストを削減できる折り戸用のランナーを提供するにある。本発明の目的は、開口部側端の戸パネルがランナーストッパーで仮り固定してある場合にも、パネル対を開口中央側へ移動操作して、全閉時のパネル対どうしを密着接合できるようにすることにある。本発明の目的は、Ｖ字状に屈折したパネル対がガタ付きのない状態で軽快に左右に移動操作できるようにすることにある。
【０００７】
【課題を解決するための手段】
本発明のランナーは、図１に示すごとくガイドレール１で案内される走行部９と、戸パネル３に装着される取付部１０と、走行部９と取付部１０とを連結する旋回軸１１とを備えている。旋回軸１１は、走行部９のボディ１２に設けた溝１４でガイドレール１の長手方向に沿ってスライド自在に案内支持する。旋回軸１１とボディ１２との間に、戸パネル３を旋回軸１１を介して開口面の中央側へ向かって移動付勢するばね２２が設けられている。
【０００８】
具体的には、ボディ１２に設けた溝１４内に、溝１４に沿って往復スライドするブロック１５を設ける。旋回軸１１の上部をブロック１５に相対回転自在に連結する。ブロック１５とボディ１２との間にばね２２を配置する。
【０００９】
溝１４は、図４に示すごとくボディ１２を上下に貫通する縦溝１４ａと、縦溝１４ａと交差してボディ１２を前後に貫通する横溝１４ｂとで構成する。ブロック１５は横溝１４ｂで左右スライド自在に案内支持する。ブロック１５の前後面に突設したローラ軸２０で、２個のローラ１３を遊転自在に軸支する。
【００１０】
ボディ１２の一側端に牽制板１６を突設する。２個の戸パネル３・３からなるパネル対をＶ字状に屈折した状態において、図５に示すごとく各戸パネル３・３を支持する一対の走行部９・９の牽制板１６・１６どうしが接当して、戸パネル３・３の近接間隔を規制することができる。両牽制板１６・１６の接当面間には、互いに凹凸係合する係合歯１７を設ける。
【００１２】
【作用】
パネル対を屈折して開口面を開放した状態において、旋回軸１１は溝１４の一端に位置している。パネル対を展張して開口面を閉止すると、開口面の側端に位置するランナー６のボディ１２が、例えばガイドレール１に装着したストッパー３６に接当して位置規制される。ストッパー３６はガイドレール１の両端に設けてあって、その対向間隔が全てのパネル対を展張したときの、折り戸の両端に位置するランナー６のボディ１２の外側端の間隔より小さく設定してある。従って、ストッパー３６と接当したランナー６のボディ１２は、先の間隔寸法の差分だけ戸パネル３に対して相対的に押し戻される。この押圧力は、旋回軸１１を介して戸パネル３に伝わる。その結果、隣接するパネル対は互いに逆向きに移動付勢され、開口中央において密着する。
【００１３】
ランナー６をランナーストッパー３３で仮り固定する形態には、旋回軸１１を係合捕捉する場合と、ボディ１２を係合捕捉する場合とがある。ランナーストッパー３３が旋回軸１１を捕捉対象としている場合には、隙間を除去できる移動ストローク分だけランナーストッパー３３に捕捉用の溝又は穴に余裕を与えておくことによって、上記と同様にして戸パネル３を支障なく開口中央側へ移動操作できる。ランナーストッパー３３がボディ１２の側を捕捉対象とする場合には、その必要はない。
【００１４】
旋回軸１１とボディ１２とはブロック１５を介して連結し、このブロック１５をボディ１２に設けた溝１４でスライド案内すると、旋回軸１１が溝１４に対して相対傾動するのを阻止して、パネル対を屈折ないしは展張するときのランナーの走行が滑らかになる。ばね２２の一端をブロック１５で受け止めるので、旋回軸１１の回動によってばね２２がずれ動くこともよく防止できる。ブロック１５を利用してその前後面にローラ軸２０を設け、２個のローラ１３をローラ軸２０を介してブロック１５で支持する二輪型のランナーによれば、専用のローラ軸を別途設ける場合に比べて、ランナー構成部品点数を減らすことができる。
【００１５】
パネル対の側端に設けた一対のランナー６は、パネル対をＶ字状に屈折した状態において、ボディ１２に設けた牽制板１６どうしが接当して、一対の戸パネル３・３の近接間隔を規制する。さらに、接当した牽制板１６・１６どうしは、係合歯１７・１７が相互に凹凸係合して接当相手のランナー６・６の動きを拘束する。この状態の一対のランナー６・６は、あたかも輪間距離の大きな四輪型のランナーとして同行移動する。従って、ランナー６・６に大きな傾動モーメントが作用するＶ字状の屈折状態であっても、直進性を維持できてパネル対を軽快に左右移動できる。
【００１６】
以上に説明したランナーは、ボディ１２と旋回軸１１とが相対スライドすることで、両者１２・１３間にばね力を生じさせ、このばね力によってパネル対の隣接隙間を除去している。  
【００１７】
【実施例】
（実施例１）
図１ないし図６は実施例１に係る折り戸用ランナーを示す。図２は本発明のランナーを適用したフリー折り戸を示す。フリー折り戸は２組のパネル対で構成してあり、開口面の上下に設けたガイドレール１・２で屈折自在に案内支持する。各パネル対は２個の戸パネル３・３の隣接縁どうしをヒンジ４で連結してあり、一方の戸パネル３の屈折縁の近傍に把手５を設ける。ヒンジ４は全開状態を維持できるクリック機構を備えている。図３に示すように、各パネル対の両側の上面および下面には、それぞれガイドレール１・２で走行案内されるランナー６と振れ止めローラ７とが装着してある。
【００１８】
図４においてランナー６は、ガイドレール１で案内される走行部９と、戸パネル３に埋め込んだ状態で装着される取付部１０と、走行部９と取付部１０とを連結する旋回軸１１などで構成する。
【００１９】
走行部９はプラスチック成形品からなる角形ブロック状のボディ１２と、ボディ１２の前後面に配置した２個のローラ１３と、ボディ１２に設けた溝１４に沿って往復スライドするブロック１５などで構成する。ボディ１２の上面の一側端には、ボディ１２より幅広の牽制板１６を一体に突設し、その突端面にねじ山状の係合歯１７を形成する。溝１４は、ボディ１２を上下に貫通する縦溝１４ａと、縦溝１４ａと交差してボディ１２を前後に貫通する断面四角形状の横溝１４ｂとで形成し、この横溝１４ｂでブロック１５が左右方向に摺動自在に案内される。符号１９はばね受穴である。
【００２０】
ブロック１５は金属角軸の旋削加工品からなり、中央の角ブロック部の前後端面にローラ軸２０を一体に形成してあり、角ブロック部の中央には旋回軸１１を連結する縦穴２１が上下貫通状に設けてある。ばね受穴１９に、圧縮コイル形のばね２２を組んだ後、ブロック１５を横溝１４ｂ内に挿嵌して、ばね２２の一端をブロック１５で受け止める。この組み付け状態において、ボディ１２の前後面に突出するローラ軸２０に前記ローラ１３を組んで遊転自在に軸支する。ローラ軸２０の軸端はかしめ処理する。
【００２１】
取付部１０は、上端にフランジ２３が張り出し形成されている円筒状のケース２４と、ケース２４に内嵌されるプラスチック製のナット２５と、このナット２５用の挿嵌穴の下端に内嵌した栓体２６とからなる。ナット２５が入る挿嵌穴は断面６角形に形成してあって、ナット２５および栓体２６を相対回転不能に保持する。栓体２６はケース２４を貫通するピンで分離不能に固定する。ケース２４と栓体２６の下端寄りには、それぞれセット穴２７が貫通状に形成してあり、図１に示すようにケース２４を戸パネル３の取付穴に挿嵌した後、戸パネル３の側端面側からボルト２８をセット穴２７にねじ込むことによって、ケース２４を抜け止め固定し、同時に回り止め保持できる。
【００２２】
旋回軸１１は、六角形の金属棒を素材とする旋削加工品であって、上下中央部位に断面六角形の操作部２９を有し、この操作部２９の上下に丸軸部を形成し、操作部２９より下方の軸部に前記ナット２５とかみ合うねじ部３０を形成してなる。上方側の丸軸部にローラ３１を挿嵌した後、丸軸部をボディ１２の下面側から縦溝１４ａ内に差し込み、その上部をブロック１５の縦穴２１に挿通しワッシャを介して軸端をかしめ変形することによって、旋回軸１１の上端をブロック１５と一体化する。この連結状態において旋回軸１１はブロック１５に対して縦軸まわりに相対回転できる。旋回軸１１はケース２４にこれの上面側から差し込み、そのねじ部３０をナット２５にねじ込むことによって、取付部１０に連結する。戸パネル３上において操作部２９をスパナ等で回転操作し、ねじ部３０のねじ込み量を変更すると、戸パネル３の高さ調整を行える。
【００２３】
ランナー６は、パネル対を構成する各戸パネル３・３に対して牽制板１６どうしが対向するように取り付ける。これにより、パネル対をＶ字状に屈折した状態では、図５に示すように牽制板１６どうしが接当して一対の戸パネル３・３の近接間隔を規制し、さらに接当端において係合歯１７どうしが互いに凹凸係合して、接当相手側のランナー６の動きを拘束する。このように、隣接するランナー６・６を牽制板１６・１６を介して互いに拘束すると、一対のランナー６・６があたかも四輪型のランナーとして同行移動するので、ランナー６・６が蛇行するのを防止できる。従ってランナー６・６に大きな傾動モーメントが作用する状態下でも、パネル対は軽快に直進移動する。
【００２４】
上側のガイドレール１の両側端には、それぞれランナー６を仮り固定するランナーストッパー３３を設ける。図１および図５においてランナーストッパー３３は、フォーク状の一対の弾性腕３４を有するキャッチャー３５と、ストッパー３６を兼ねる断面Ｌ字状のナット体３７とからなり、ナット体３７をレール内部に配置し、レール下面に配置したキャッチャー３５とナット体３７とをボルト３８で締結して、ガイドレール１に固定する。下側のガイドレール２の両側端にも、上記と同様のローラストッパーを設けてあって（図示していない）、振れ止め用ローラ７を係合捕捉できる。但し、この場合のローラストッパーはナット体３７が平板状に形成されている。
【００２５】
多くの場合、左右のパネル対は図１に示すように開口面の両側端に位置するランナー６および振れ止めローラ７をランナーストッパー３３およびローラストッパーで係合捕捉して、開口面の中央で隣接する戸パネル３・３を操作して、各パネル対を開閉できるようにしてある。このとき、ランナーストッパー３３のキャッチャー３５は、図６に示すように一対の弾性腕３４が旋回軸１１に外嵌したローラ３１を前後に挟んで、両弾性腕３４・３４間の溝３９内にローラ３１が位置する。この溝３９は左右横長に形成してあって、その範囲内でランナー６が左右移動できる。その理由は以下に述べる。
【００２６】
左右のパネル対のそれぞれを面一状に展張して開口面を閉止すると、両側端に位置するランナー６のボディ１２が、ストッパー３６で受け止められる。両端のストッパー３６の対向間隔は、左右のパネル対を面一状に展張したときの、両端に位置するランナー６のボディ１２の外側端間の距離よりも小さく設定してある。そのため、各パネル対を完全に展張操作すると、ボディ１２がストッパー３６に接当した状態のままで、取付部１０と旋回軸１１とがストッパー３６側へ移動する。つまり、ブロック１５は前記ばね２２を圧縮変形させながらボディ１２に対して相対スライドする。この相対スライドを許すために、図６に示すように弾性腕３４間の溝３９が横長に形成されている。
【００２７】
上記のようにブロック１５がスライドした状態では、ブロック１５が横溝１４ｂの溝端で受け止められていた場合とは異なり、ばね２２の張力が旋回軸１１を介して戸パネル３に作用する。その結果、図１の矢印で示すように各パネル対はばね２２の力で開口面の中央側へ移動操作され、隣接する戸パネル３・３の側端面どうしが密着する。つまり、開口面を左右のパネル対で閉止した状態において、パネル対の間に隙間が生じるのを防止して、折り戸の体裁を向上できる。なお、開口面の側端に生じる隙間は、図５に示すように板状の戸隠しで覆われているので問題にならない。
【００２８】
（実施例２）
図７は上記ランナー６の一部を変更した実施例２を示す。そこでは、横溝１４ｂの右側方においてボディ１２を前後に貫通する専用のローラ軸４１を設け、このローラ軸４１でローラ１３を遊転自在に軸支した点が、実施例１と異なる。他は同じであるので、同一部材に同一符号を付して説明を省略する。以下の実施例においても重複する説明については同様に扱う。ランナー６に作用する荷重にもよるが、比較的軽荷重である場合には、ブロック１５を省略してばね２２を旋回軸１１で直接受けることができる。
【００２９】
（実施例３）
図８はランナー６が四輪型である場合の実施例３を示す。そこでは、ボディ１２の左右両端寄りに一対のランナー軸４１を設け、これらランナー軸４１・４１で４個のローラ１３を遊転自在に軸支する。そのうえで、両ランナー軸４１・４１間に溝１４を設け、溝１４で案内支持したブロック１５に旋回軸１１を連結した。この実施例３では、牽制板１６を省略することができる。
【００３１】
上記以外に、ばね２２は圧縮ばねに代えて引っ張りばねを適用できる。ランナー６の取付部１０は実施例で説明した構造である必要はなく、例えば戸パネル３の側端面の側から挿嵌して取り付ける形態や、戸パネル３の上端面に被さるＬ字形の金具で抜け止めを図る形態等を採用でき、その構造は特に限定されない。折り戸は２個以上のパネル対で構成することができる。
【００３２】
【発明の効果】
本発明では、ランナー６これ自体に隙間除去のための構造を付加して、全閉時のパネル対どうしを開口面の中央において密着させ、隣接する戸パネル３・３の側端間に隙間が生じるのを防止できるようにした。従って、専用の隙間除去具を用いる場合に比べて、そのコストと施工の手間を省略できる分だけ折り戸の全コストを減少できるうえ、全展張した折り戸の体裁を向上できる。ランナー６の側で隙間除去を行うので、ランナー６とランナーストッパー３３で仮り固定してある場合にも、支障なくパネ対向の隙間を除去できる利点を有する。
【図面の簡単な説明】
【図１】ランナーの縦断正面図である。
【図２】折り戸の斜視図である。
【図３】折り戸の縦断側面図である。
【図４】ランナーの分解斜視図である。
【図５】ランナーの牽制板の作用を示す平面図である。
【図６】ランナーストッパーの平面図である。
【図７】実施例２に係るランナーの正面図である。
【図８】実施例３に係るランナーの正面図である。
【符号の説明】
１  ガイドレール
３  戸パネル
９  走行部
１０  取付部
１１  旋回軸
１２  ボディ
１４  溝
１５  ブロック
２２  ばね
【図１】
0003738322.tif 000002
【図２】
0003738322.tif 000003
【図３】
0003738322.tif 000004
【図４】
0003738322.tif 000005
【図５】
0003738322.tif 000006
【図６】
0003738322.tif 000007
【図７】
0003738322.tif 000008
【図８】
0003738322.tif 000009